(57)【要約】  ワイヤレス通信の方法が、ターゲット無線アクセス技術(RAT)の絶対システムフレーム番号(SFN)を記録するステップおよび/またはサービング無線アクセス技術(RAT)とターゲットRATとの相対システムフレーム番号(SFN)差を記録するステップを含む。リダイレクションの後、記録された絶対システムフレーム番号(SFN)および/または記録された相対システムフレーム番号(SFN)差に少なくとも一部基づいて、送信時間間隔(TTI)境界が決定される。
2017500784.tif 000002
【特許請求の範囲】
【請求項１】
ワイヤレス通信の方法であって、
ターゲット無線アクセス技術(RAT)の絶対システムフレーム番号(SFN)および/またはサービング無線アクセス技術(RAT)と前記ターゲットRATとの相対システムフレーム番号(SFN)差を記録するステップと、
リダイレクションの後、前記記録された絶対システムフレーム番号(SFN)および/または前記記録された相対システムフレーム番号(SFN)差に少なくとも一部基づいて、送信時間間隔(TTI)境界を決定するステップと
を含む、方法。
【請求項２】
前記ターゲットRATにおいて報知制御チャネル(BCCH)のブラインド復号をスキップして、前記TTI境界を決定するためにSFNを読み取るステップをさらに含む、請求項1に記載の方法。
【請求項３】
前記サービングRATが、Long Term Evolution(LTE)である、請求項1に記載の方法。
【請求項４】
前記ターゲットRATが、時分割同期符号分割多元接続(TD-SCDMA)である、請求項1に記載の方法。
【請求項５】
前記記録された差を記憶するステップをさらに含む、請求項1に記載の方法。
【請求項６】
前記SFN差を記録するステップが、前記ターゲットRATにキャンプされる間に行われる、請求項1に記載の方法。
【請求項７】
前記SFN差を記録するステップが、無線アクセス技術間(IRAT)測定中に行われる、請求項1に記載の方法。
【請求項８】
ワイヤレス通信のための装置であって、
ターゲット無線アクセス技術(RAT)の絶対システムフレーム番号(SFN)および/またはサービング無線アクセス技術(RAT)と前記ターゲットRATとの相対システムフレーム番号(SFN)差を記録するための手段と、
リダイレクションの後、前記記録された絶対システムフレーム番号(SFN)および/または前記記録された相対システムフレーム番号(SFN)差に少なくとも一部基づいて、送信時間間隔(TTI)境界を決定するための手段と
を備える、装置。
【請求項９】
前記ターゲットRATにおいて報知制御チャネル(BCCH)のブラインド復号をスキップして、前記TTI境界を決定するためにSFNを読み取るための手段をさらに備える、請求項8に記載の装置。
【請求項１０】
前記サービングRATが、Long Term Evolution(LTE)である、請求項8に記載の装置。
【請求項１１】
前記ターゲットRATが、時分割同期符号分割多元接続(TD-SCDMA)である、請求項8に記載の装置。
【請求項１２】
前記記録された差を記憶するための手段をさらに備える、請求項8に記載の装置。
【請求項１３】
前記SFN差を記録するための前記手段が、前記ターゲットRATにキャンプされる間に行われる、請求項8に記載の装置。
【請求項１４】
前記SFN差を記録するための前記手段が、無線アクセス技術間(IRAT)測定中に行われる、請求項8に記載の装置。
【請求項１５】
ワイヤレスネットワークにおけるワイヤレス通信のための、非一時的プログラムコードが記憶された、コンピュータ可読記憶媒体であって、
前記プログラムコードが、
ターゲット無線アクセス技術(RAT)の絶対システムフレーム番号(SFN)を記録するためのおよび/またはサービング無線アクセス技術(RAT)と前記ターゲットRATとの相対システムフレーム番号(SFN)差を記録するためのプログラムコードと、
リダイレクションの後、前記記録された絶対システムフレーム番号(SFN)および/または前記記録された相対システムフレーム番号(SFN)差に少なくとも一部基づいて、送信時間間隔(TTI)境界を決定するためのプログラムコードと
を含む、コンピュータ可読記憶媒体。
【請求項１６】
前記ターゲットRATにおいて報知制御チャネル(BCCH)のブラインド復号をスキップして、前記TTI境界を決定するためにSFNを読み取るためのプログラムコードをさらに含む、請求項15に記載のコンピュータ可読記憶媒体。
【請求項１７】
前記サービングRATが、Long Term Evolution(LTE)である、請求項15に記載のコンピュータ可読記憶媒体。
【請求項１８】
前記ターゲットRATが、時分割同期符号分割多元接続(TD-SCDMA)である、請求項15に記載のコンピュータ可読記憶媒体。
【請求項１９】
前記記録された差を記憶するためのプログラムコードをさらに含む、請求項15に記載のコンピュータ可読記憶媒体。
【請求項２０】
前記記録するためのプログラムコードが、ユーザ機器(UE)が前記ターゲットRATにキャンプされる間に前記SFN差を記録するようにさらに構成される、請求項15に記載のコンピュータ可読記憶媒体。
【請求項２１】
前記記録するためのプログラムコードが、無線アクセス技術間(IRAT)測定中に前記SFN差を記録するようにさらに構成される、請求項15に記載のコンピュータ可読記憶媒体。
【請求項２２】
ワイヤレス通信のための装置であって、
メモリと、
前記メモリに結合された少なくとも1つのプロセッサとを備え、前記少なくとも1つのプロセッサが、
ターゲット無線アクセス技術(RAT)の絶対システムフレーム番号(SFN)を記録するおよび/またはサービング無線アクセス技術(RAT)と前記ターゲットRATとの相対システムフレーム番号(SFN)差を記録する、ならびに
リダイレクションの後、前記記録された絶対システムフレーム番号(SFN)および/または前記記録された相対システムフレーム番号(SFN)差に少なくとも一部基づいて、送信時間間隔(TTI)境界を決定する
ように構成された、装置。
【請求項２３】
前記少なくとも1つのプロセッサが、前記ターゲットRATにおいて報知制御チャネル(BCCH)のブラインド復号をスキップして、前記TTI境界を決定するためにSFNを読み取るようにさらに構成される、請求項22に記載の装置。
【請求項２４】
前記サービングRATが、Long Term Evolution(LTE)である、請求項22に記載の装置。
【請求項２５】
前記ターゲットRATが、時分割同期符号分割多元接続(TD-SCDMA)である、請求項22に記載の装置。
【請求項２６】
前記少なくとも1つのプロセッサが、前記記録された差を記憶するようにさらに構成される、請求項22に記載の装置。
【請求項２７】
前記少なくとも1つのプロセッサが、ユーザ機器(UE)が前記ターゲットRATにキャンプされる間に前記SFN差を記録するように構成される、請求項22に記載の装置。
【請求項２８】
前記少なくとも1つのプロセッサが、無線アクセス技術間(IRAT)測定中に前記SFN差を記録するようにさらに構成される、請求項22に記載の装置。
【発明の詳細な説明】
【技術分野】
【０００１】
本開示の態様は、概してワイヤレス通信システムに関し、より詳細には、システムフレーム番号(SFN)を利用して1つの無線アクセス技術(RAT)から別のRATへのリダイレクション中に送信時間間隔(TTI)境界を決定することに関する。
【背景技術】
【０００２】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、Universal Terrestrial Radio Access Network(UTRAN)である。UTRANは、第3世代パートナーシッププロジェクト(3GPP)によってサポートされる第3世代(3G)モバイルフォン技術である、ユニバーサルモバイル通信システム(UMTS)の一部として定義される無線アクセスネットワーク(RAN)である。UMTSは、モバイル通信用グローバルシステム(GSM(登録商標))技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。たとえば、中国は、既存のGSM(登録商標)インフラストラクチャをコアネットワークとして、UTRANアーキテクチャにおいて基礎となるエアインターフェースとしてTD-SCDMAを推進している。UMTSは、関連するUMTSネットワークのデータ転送の速度および容量を向上させる高速パケットアクセス(HSPA)のような拡張3Gデータ通信プロトコルもサポートする。HSPAは、2つのモバイルテレフォニープロトコル、すなわち高速ダウンリンクパケットアクセス(HSDPA)および高速アップリンクパケットアクセス(HSUPA)の集合体であり、これにより、既存の広帯域プロトコルの性能を拡張させるとともに向上させている。
【０００３】
モバイルブロードバンドアクセスに対する要望が増し続けるにつれて、研究開発は、モバイルブロードバンドアクセスに対する高まる要望を満たすためだけでなく、モバイル通信によるユーザ経験を進化させ向上させるためにも、UMTS技術を進化させ続けている。
【発明の概要】
【課題を解決するための手段】
【０００４】
1つの態様では、ワイヤレス通信の方法が開示される。この方法は、ターゲット無線アクセス技術(RAT)の絶対システムフレーム番号(SFN)および/またはサービング無線アクセス技術(RAT)とターゲットRATとの相対システムフレーム番号(SFN)差を記録するステップを含む。リダイレクションの後、送信時間間隔(TTI)境界が、記録された絶対システムフレーム番号(SFN)および/または記録された相対システムフレーム番号(SFN)差に少なくとも一部基づいて決定される。
【０００５】
別の態様は、ターゲット無線アクセス技術(RAT)の絶対システムフレーム番号(SFN)および/またはサービング無線アクセス技術(RAT)とターゲットRATとの相対システムフレーム番号(SFN)差を記録するための手段を含んだ装置を開示する。リダイレクションの後、記録された絶対システムフレーム番号(SFN)および/または記録された相対システムフレーム番号(SFN)差に少なくとも一部基づいて、送信時間間隔(TTI)境界を決定するための手段もまた含まれる。
【０００６】
別の態様では、非一時的コンピュータ可読媒体を有するワイヤレスネットワークにおけるワイヤレス通信のためのコンピュータプログラム製品が開示される。コンピュータ可読媒体は、プロセッサによって実行されるとき、ターゲット無線アクセス技術(RAT)の絶対システムフレーム番号(SFN)を記録する動作および/またはサービング無線アクセス技術(RAT)とターゲットRATとの相対システムフレーム番号(SFN)差を記録する動作をプロセッサに行わせる非一時的プログラムコードを記録されている。プログラムコードはまた、リダイレクションの後、記録された絶対システムフレーム番号(SFN)および/または記録された相対システムフレーム番号(SFN)差に少なくとも一部基づいて、プロセッサに送信時間間隔(TTI)境界を決定させる。
【０００７】
別の態様は、メモリと、メモリに結合された少なくとも1つのプロセッサとを有するワイヤレス通信を開示する。プロセッサは、ターゲット無線アクセス技術(RAT)の絶対システムフレーム番号(SFN)を記録する、および/またはサービング無線アクセス技術(RAT)とターゲットRATとの相対システムフレーム番号(SFN)差を記録するように構成される。プロセッサはまた、リダイレクションの後、記録された絶対システムフレーム番号(SFN)および/または記録された相対システムフレーム番号(SFN)差に少なくとも一部基づいて送信時間間隔(TTI)境界を決定するように構成される。
【０００８】
上記は、続く詳細な説明がより良く理解され得るように、本開示の特徴および技術的な利点を、かなり広く概説したものである。本開示のさらなる特徴および利点は、以下で説明される。本開示と同じ目的を実行するための他の構造を修正または設計するための基礎として本開示が容易に利用され得ることを当業者は諒解されたい。そのような等価な構成は、添付の特許請求の範囲に記載される本開示の教示から逸脱しないことも当業者は認識されたい。本開示の特色をなすと思われる新規の特徴は、その組成と動作方法の両方について、さらなる目的および利点とともに、後続の記述を添付の図との関連で考慮したときによりよく理解されるであろう。しかしながら、図の各々は、例示および説明のみを目的として提供され、本開示の限定を定義するものとして意図されないことを明白に理解されたい。
【０００９】
本開示の特徴、性質、および利点は、同様の参照符号が全体を通して同様に識別する図面と併せると、以下に示す詳細な説明からさらに明らかになるであろう。
【図面の簡単な説明】
【００１０】
【図１】電気通信システムの一例を概念的に示すブロック図である。
【図２】電気通信システムのフレーム構造の一例を概念的に示すブロック図である。
【図３】電気通信システムにおいてUEと通信しているノードBの一例を概念的に示すブロック図である。
【図４】本開示の態様による、ネットワークカバレージエリアを示す図である。
【図５】本開示の態様を示す呼フロー図である。
【図６】本開示の一態様による、送信時間間隔を決定するための方法を示すブロック図である。
【図７】本開示の一態様による、処理システムを用いる装置のためのハードウェア実装の一例を示す図である。
【発明を実施するための形態】
【００１１】
添付の図面に関する下記の詳細な説明は、様々な構成の説明として意図されており、本明細書で説明される概念が実行され得る唯一の構成を表すことは意図されていない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１２】
ここで図1を参照すると、電気通信システム100の一例を示すブロック図が示される。本開示全体にわたって提示される様々な概念は、広範な電気通信システム、ネットワークアーキテクチャ、および通信規格にわたって実装され得る。限定されるものではないが、例として、図1に示される本開示の態様は、TD-SCDMA規格を用いるUMTSシステムに関して提示される。この例では、UMTSシステムは、電話、ビデオ、データ、メッセージング、放送、および/または他のサービスを含む様々なワイヤレスサービスを提供する(無線アクセスネットワーク)RAN102(たとえば、UTRAN)を含む。RAN102は、RNC106などの無線ネットワークコントローラ(RNC)によって各々制御される、RNS107など、いくつかの無線ネットワークサブシステム(RNS)に分割され得る。明快にするために、RNC106およびRNS107のみが示されるが、RAN102は、RNC106およびRNS107に加えて、任意の数のRNCおよびRNSを含み得る。RNC106は、とりわけ、RNS107内の無線リソースを割り当て、再構成し、解放することを担う装置である。RNC106は、任意の適切なトランスポートネットワークを使用する、直接の物理接続、仮想ネットワークなど様々なタイプのインターフェースを介して、RAN102中の他のRNC(図示せず)に相互接続され得る。
【００１３】
RNS107によってカバーされる地理的領域は、いくつかのセルに分割されてよく、無線トランシーバ装置が各セルにサービスする。無線トランシーバ装置は、通常、UMTS用途ではノードBと呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、2つのノードB108が示されているが、RNS107は、任意の数のワイヤレスノードBを含んでもよい。ノードB108は、ワイヤレスアクセスポイントを任意の数のモバイル装置のためのコアネットワーク104に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の類似の機能デバイスなどがある。モバイル装置は、通常、UMTS用途ではユーザ機器(UE)と呼ばれるが、当業者によって、移動局(MS)、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末(AT)、モバイル端末、ワイヤレス端末、遠隔端末、ハンドセット、端末、ユーザエージェント、モバイルクライアント、クライアント、または何らかの他の適切な用語で呼ばれることもある。説明のために、3つのUE110がノードB108と通信しているように示される。順方向リンクとも呼ばれるダウンリンク(DL)は、ノードBからUEへの通信リンクを指し、逆方向リンクとも呼ばれるアップリンク(UL)は、UEからノードBへの通信リンクを指す。
【００１４】
図示のように、コアネットワーク104は、GSM(登録商標)コアネットワークを含む。しかしながら、当業者が認識するように、GSM(登録商標)ネットワーク以外のタイプのコアネットワークへのアクセスをUEに提供するために、本開示全体にわたって提示される様々な概念を、RANまたは他の適切なアクセスネットワークにおいて実装することができる。
【００１５】
この例では、コアネットワーク104は、モバイル交換センター(MSC)112およびゲートウェイMSC(GMSC)114によって回線交換サービスをサポートする。RNC106などの1つまたは複数のRNCが、MSC112に接続され得る。MSC112は、呼設定、呼ルーティング、およびUEモビリティ機能を制御する装置である。MSC112は、UEがMSC112のカバレージエリア内にある間に加入者関連の情報を格納するビジターロケーションレジスタ(VLR)(図示せず)も含む。GMSC114は、UEが回線交換ネットワーク116にアクセスするためのゲートウェイを、MSC112を通じて提供する。GMSC114は、特定のユーザが加入したサービスの詳細を反映するデータのような加入者データを格納する、ホームロケーションレジスタ(HLR)(図示せず)を含む。HLRは、加入者に固有の認証データを格納する、認証センター(AuC)とも関連付けられている。特定のUEについて、呼が受信されると、GMSC114は、UEの位置を決定するためにHLRに問い合わせ、その位置をサービスする特定のMSCに呼を転送する。
【００１６】
コアネットワーク104はまた、サービングGPRSサポートノード(SGSN)118およびゲートウェイGPRSサポートノード(GGSN)120によって、パケットデータサービスをサポートする。汎用パケット無線サービスを表すGPRSは、標準のGSM(登録商標)回線交換データサービスで可能なものよりも速い速度でパケットデータサービスを提供するよう設計されている。GGSN120は、パケットベースネットワーク122へのRAN102の接続を提供する。パケットベースネットワーク122は、インターネット、プライベートデータネットワーク、または何らかの他の適切なパケットベースネットワークであってもよい。GGSN120の主要機能は、UE110にパケットベースネットワーク接続を提供することである。データパケットは、MSC112が回線交換領域において実行するのと同じ機能をパケットベース領域において主に実行するSGSN118を介して、GGSN120とUE110との間で転送され得る。
【００１７】
UMTSエアインターフェースは、スペクトラム拡散直接シーケンス符号分割多元接続(DS-CDMA)システムである。スペクトラム拡散DS-CDMAは、チップと呼ばれる一連の疑似ランダムビットとの乗算によって、はるかに広い帯域幅にわたってユーザデータを拡散させる。TD-SCDMA規格は、そのような直接シーケンススペクトラム拡散技術に基づいており、さらに、多くの周波数分割複信(FDD)モードのUMTS/W-CDMAシステムにおいて使用されるようなFDDではなく、時分割複信(TDD)を必要とする。TDDは、ノードB108とUE110との間のアップリンク(UL)とダウンリンク(DL)の両方で同じキャリア周波数を使用するが、アップリンク送信およびダウンリンク送信を、キャリア中の異なるタイムスロットへと分割する。
【００１８】
図2は、TD-SCDMAキャリアのフレーム構造200を示している。TD-SCDMAキャリアは、図示のように、長さが10msであるフレーム202を有する。TD-SCDMAのチップレートは、1.28Mcpsである。フレーム202は、2個の5msのサブフレーム204を有し、サブフレーム204の各々は7個のタイムスロット、TS0〜TS6を含む。第1のタイムスロットTS0は通常、ダウンリンク通信のために割り振られ、一方で第2のタイムスロットTS1は通常、アップリンク通信のために割り振られる。残りのタイムスロットTS2〜TS6は、アップリンクまたはダウンリンクのいずれかに使用されてよく、それにより、アップリンク方向またはダウンリンク方向のいずれかでより高速なデータ送信期間のうちの期間におけるフレキシビリティを高めることが可能になる。TS0とTS1との間に、ダウンリンクパイロットタイムスロット(DwPTS)206、ガード期間(GP)208、およびアップリンクパイロットタイムスロット(UpPTS)210(アップリンクパイロットチャネル(UpPCH)とも呼ばれる)が位置する。各タイムスロット、TS0〜TS6により、最大16個のコードチャネルで多重化されたデータ送信が可能になり得る。コードチャネルでのデータ送信は、ミッドアンブル214(144チップの長さを有する)によって分離された2つのデータ部分212(各々は352チップの長さを有する)と、後続するガード期間(GP)216(16チップの長さを有する)とを含む。ミッドアンブル214は、チャネル推定などの機能に使用されてよく、一方でガード期間216はバースト間干渉を回避するために使用されてよい。また、データ部分では、同期シフト(SS)ビット218を含む何らかの層1制御情報が送信される。同期シフトビット218は、データ部分の第2の部分にのみ現れる。ミッドアンブルの直後の同期シフトビット218は、シフトを減らす、シフトを増やす、またはアップロード送信タイミングにおいて何もしない、という3つのケースを示すことができる。SSビット218の位置は一般に、アップリンク通信中には使用されない。
【００１９】
図3は、RAN300においてUE350と通信しているノードB310のブロック図であり、RAN300は図1のRAN102であってよく、ノードB310は図1のノードB108であってよく、UE350は図1のUE110であってよい。ダウンリンク通信では、送信プロセッサ320は、データソース312からデータを受信し、コントローラ/プロセッサ340から制御信号を受信することができる。送信プロセッサ320は、参照信号(たとえばパイロット信号)とともに、データ信号および制御信号のための様々な信号処理機能を提供する。たとえば、送信プロセッサ320は、誤り検出のための巡回冗長検査(CRC)コード、順方向誤り訂正(FEC)を支援するためのコーディングおよびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を、提供することができる。送信プロセッサ320のための、コーディング方式、変調方式、拡散方式および/またはスクランブリング方式を決定するために、チャネルプロセッサ344からのチャネル推定が、コントローラ/プロセッサ340によって使用され得る。これらのチャネル推定は、UE350によって送信される参照信号から、またはUE350からのミッドアンブル214(図2)に含まれるフィードバックから、導出され得る。送信プロセッサ320によって生成されたシンボルは、フレーム構造を作成するために、送信フレームプロセッサ330に与えられる。送信フレームプロセッサ330は、コントローラ/プロセッサ340からのミッドアンブル214(図2)とシンボルとを多重化することによって、このフレーム構造を作成し、一連のフレームが得られる。次いでこれらフレームは送信機332に与えられ、送信機332は、スマートアンテナ334を通じたワイヤレス媒体によるダウンリンク送信のために、増幅、フィルタリング、およびフレームのキャリア上への変調を含む、様々な信号調整機能を提供する。スマートアンテナ334は、ビームステアリング双方向適応アンテナアレイまたは他の同様のビーム技術で実装され得る。
【００２０】
UE350において、受信機354は、アンテナ352を通じてダウンリンク送信を受信し、その送信を処理してキャリア上へ変調されている情報を復元する。受信機354によって復元された情報は、受信フレームプロセッサ360に与えられ、受信フレームプロセッサ360は、各フレームを解析し、ミッドアンブル214(図2)をチャネルプロセッサ394に提供し、データ信号、制御信号、および参照信号を受信プロセッサ370に提供する。受信プロセッサ370は次いで、ノードB310中の送信プロセッサ320によって実行される処理の逆を実行する。より具体的には、受信プロセッサ370は、シンボルを逆スクランブルおよび逆拡散し、次いで変調方式に基づいて、ノードB310によって送信された、最も可能性の高い信号配列点を求める。これらの軟判定は、チャネルプロセッサ394によって計算されるチャネル推定に基づき得る。次いで、軟判定は、データ信号、制御信号、および参照信号を復元するために、復号されてデインターリーブされる。次いで、フレームの復号が成功したかどうかを判断するために、CRCコードが確認される。次いで、復号に成功したフレームによって搬送されるデータがデータシンク372に与えられ、データシンク372は、UE350および/または様々なユーザインターフェース(たとえばディスプレイ)において実行されているアプリケーションを表す。復号に成功したフレームが搬送する制御信号は、コントローラ/プロセッサ390に与えられる。受信プロセッサ370によるフレームの復号が失敗すると、コントローラ/プロセッサ390は、確認応答(ACK)プロトコルおよび/または否定応答(NACK)プロトコルを用いて、そうしたフレームの再送信要求をサポートすることもできる。
【００２１】
アップリンクでは、データソース378からのデータおよびコントローラ/プロセッサ390からの制御信号が、送信プロセッサ380に与えられる。データソース378は、UE350で実行されているアプリケーションおよび様々なユーザインターフェース(たとえばキーボード)を表し得る。ノードB310によるダウンリンク送信に関して説明される機能と同様に、送信プロセッサ380は、CRCコード、FECを容易にするためのコーディングおよびインターリービング、信号配列へのマッピング、OVSFによる拡散、および、一連のシンボルを生成するためのスクランブリングを含む、様々な信号処理機能を提供する。ノードB310によって送信される参照信号から、または、ノードB310によって送信されるミッドアンブル中に含まれるフィードバックから、チャネルプロセッサ394によって導出されるチャネル推定が、適切なコーディング方式、変調方式、拡散方式、および/またはスクランブリング方式を選択するために、使用され得る。送信プロセッサ380によって生成されたシンボルは、フレーム構造を作成するために、送信フレームプロセッサ382に与えられる。送信フレームプロセッサ382は、コントローラ/プロセッサ390からのミッドアンブル(図2)とシンボルとを多重化することによって、このフレーム構造を作成し、一連のフレームが得られる。次いでこのフレームは送信機356に与えられ、送信機356は、アンテナ352を通じたワイヤレス媒体によるアップリンク送信のために、増幅、フィルタリング、およびフレームのキャリア上への変調を含む、様々な信号調整機能を提供する。
【００２２】
アップリンク送信は、UE350において受信機能に関して説明された方式と同様の方式で、ノードB310において処理される。受信機335は、アンテナ334を通じてアップリンク送信を受信し、その送信を処理してキャリア上へ変調されている情報を復元する。受信機335によって復元された情報は、受信フレームプロセッサ336に与えられ、受信フレームプロセッサ336は、各フレームを解析し、ミッドアンブル(図2)をチャネルプロセッサ344に提供し、データ信号、制御信号、および参照信号を受信プロセッサ338に提供する。受信プロセッサ338は、UE350中の送信プロセッサ380によって実行される処理の逆を実行する。次いで、復号に成功したフレームによって搬送されるデータ信号および制御信号が、データシンク339およびコントローラ/プロセッサにそれぞれ与えられ得る。フレームの一部が、受信プロセッサによる復号に失敗すると、コントローラ/プロセッサ340は、確認応答(ACK)プロトコルおよび/または否定応答(NACK)プロトコルを用いて、そうしたフレームの再送信要求をサポートすることもできる。
【００２３】
コントローラ/プロセッサ340および390は、それぞれノードB310およびUE350における動作を指示するために使用され得る。たとえば、コントローラ/プロセッサ340および390は、タイミング、周辺インターフェース、電圧調整、電力管理、および他の制御機能を含む、様々な機能を提供することができる。メモリ392のコンピュータ可読媒体は、UE350のためのデータおよびソフトウェアを記憶することができる。たとえば、UE350のメモリ392は、システムフレーム番号(SFN)管理モジュール391を記憶し、SFN管理モジュール391は、コントローラ/プロセッサ390によって実行されるとき、IRAT測定中にサービングRATとターゲットRATとの相対システムフレーム番号差を記録するためにUE350を構成する。
【００２４】
回線交換フォールバック(CSFB)のためのシステムフレーム番号(SFN)処理
新しく開発されたネットワークなどのいくつかのネットワークは、地理的エリアの一部しかカバーしないことがある。古くからのより確立したネットワークなどの別のネットワークが、地理的エリアの残りの部分を含め、エリアをより大きくカバーすることができる。図4は、LTEネットワークなど、新しく展開されたネットワークカバレージ、またTD-SCDMAネットワークなど、より確立されたネットワークのカバレージを示す。地理的領域400が、LTEセル402と、TD-SCDMAセル404とを含み得る。ユーザ機器(UE)406が、TD-SCDMAセル404などの1つのセルから、LTEセル402などの別のセルへ移動し得る。UE406の移動は、ハンドオーバまたはセル再選択を指定し得る。
【００２５】
いくつかの理由により、第1の無線アクセス技術(RAT)から第2のRATへのハンドオーバが行われることがある。第1に、ネットワークは、ユーザ機器(UE)に第1のRATを1次RATとして使用させること、および音声サービスだけになど、特定の機能だけに第2のRATを使用することを選好することがある。第2に、RATの1つのネットワークにカバレージホールがあることがある。第1のRATから第2のRATへのハンドオーバは、測定報告に基づかれ得る。
【００２６】
1つのRATから別のRATへのリダイレクションは一般的に、たとえば負荷バランシングを実装するために行われる。リダイレクションは、Long Term Evolution(LTE)などの1つのRATから、ユニバーサルモバイル通信システム(UMTS)周波数分割複信(FDD)、UMTS時分割複信(TDD)、またはGSM(登録商標)などの第2のRATへ、回線交換フォールバック(CSFB)を実装するために利用されることもある。
【００２７】
回線交換フォールバックは、たとえば、LTE能力に加えて第3世代(3G)/第2世代(2G)ネットワーク能力を有するマルチモードUEが、LTEネットワークにキャンプオン(camped on)されている間に回線交換(CS)音声サービスを有することを可能にする機能である。回線交換フォールバック対応UEは、LTE上にありながら、モバイル発信(MO:mobile-originated)回線交換(CS)音声呼を開始することができる。これは結果としてUEが、CS音声呼セットアップのために3Gまたは2Gネットワークなどの回線交換対応無線アクセスネットワーク(RAN)に移動されることになる。回線交換フォールバック対応UEは、LTE上にありながら、モバイル着信(MT:mobile-terminated)音声呼のためにページングされ、結果としてUEが回線交換音声呼セットアップのために3Gまたは2Gネットワークに移動され得る。
【００２８】
回線交換フォールバック呼(CSFB)セットアップ中に発生する待ち時間を減少させようとする試みに、様々な方法が利用される。たとえば、呼セットアップのための待ち時間を減少させるために、システム情報ブロック(SIB)トンネリングおよび測定制御読取りの延期(DMCR:deferred measurement control reading)が導入され得る。UTRANへのCSFBについては、呼セットアップに関係する遅延は、LTE側とUTRAN側の両方での追加のシグナリングのために増大する可能性がある。呼セットアップ遅延の実質的部分は、アクセスの前にUTRAN上のシステム情報を読み取ることから生じる。
【００２９】
次に、呼セットアップ遅延に対するオペレータインジケータ規定(operator indicator specifications)を満たすように利用され得る例示的なSIBトンネリングおよびDMCR実装を説明する。詳細には、DMCR実装のためにUEは、CSFBのためにUTRANセルにアクセスする前に、SIB1、3、5、および7だけを読み取る。CSFBのためにUTRANにアクセスする前に、SIB11、12、および19を含む他のSIBは読み取られない。これらのSIB(たとえば、SIB11、12、および19)は、回線交換呼セットアップが終了した、または回線交換呼が終わった後、UEがUTRANセル上でアイドルモードに戻ると再び読み取られる。
【００３０】
SIBトンネリング実装については、TD-SCDMA SIBのすべてが、LTEネットワークから無線リソース制御(RRC)リリースメッセージで搬送される。この実装では、UEは、TD-SCDMAネットワークからのSIBのすべてを読み取ることをスキップする。UEがLTEネットワークによってTD-SCDMAネットワークにリダイレクトされた後、およびTD-SCDMAセル取得中に、UEは、5msのサブフレーム境界を認識するにすぎない。しかしながら、UEは、UEがリダイレクトされた後に、20〜40msの送信時間間隔(TTI)境界を見つけなければならない。したがって、UEは、報知制御チャネル(BCCH)境界の知識なしにBCCHをやみくもに復号する(blindly decoding)ことによって送信時間間隔(TTI)境界を特定する。しかしながら、UEが40msのTTI境界を特定するには、約30から100msかかり、これはTD-SCDMAにおけるランダムアクセス手順の開始を遅らせる。
【００３１】
本開示の態様は、より効率的な方法でTTI境界を決定し、それによって待ち時間を減少させることを対象とするものである。詳細には、開示の1つの態様において、システムフレーム番号(SFN)はすべてのTD-SCDMAセルに対して同じであるので、ネットワークは、LTEネットワークからの無線リソース制御(RRC)リリースメッセージでSFN相対差を表示することができる。UEは、LTE SFNとTD-SCDMA SFNとの相対差に基づいてTD-SCDMA SFNを見つけ、その後TTI境界を決定することができる。この実装は、SIBトンネリング実装に基づくTD-SCDMAへのCSFBセットアップの待ち時間を減少させる。
【００３２】
本開示の他の態様において、UEは、IRAT測定中にTD-SCDMA SFNとLTE SFNとの相対差を記録する。UEがTD-SCDMAネットワークにリダイレクトされた後、UEはその記録に基づいてTTI境界を決定する。この態様では、UEは、TTI境界を決定するために、ターゲットRATの報知制御チャネル(BCCH)のブラインド復号(blind decoding)をスキップしてSFNを読み取る。この実装もまた、SIBトンネリング実装に基づくTD-SCDMAへのCSFBセットアップの待ち時間を減少させる。
【００３３】
別の態様では、UEは、ターゲットRATの絶対SFNを記録する。リダイレクションの後、UEは、記録された絶対SFNに基づいてTTI境界を決定する。別の態様では、UEは、絶対SFNおよび/またはTD-SCDMA SFNとLTE SFNとの相対差を記録する。UEは、その後、記録された絶対SFNおよび/または記録された相対SFN差に基づいてTTI境界を決定する。相対差は、UEがターゲットRATにキャンプされる間に記録され得る。オプションでは、相対差は、IRAT測定中に記録され得る。
【００３４】
図5は、TD-SCDMAセル504とLTEセル506との間のUE502の例示的な通信を示す呼フロー図500である。時間510において、UE502は、LTEセル506に接続/キャンプオンされ、アイドルまたは接続モードとなる。アイドル/接続モードである間、UE502は、時間512においてIRAT測定を行う。
【００３５】
第1の構成では、UEは、IRAT測定を行っている間にTD-SCDMAネットワークとLTEネットワークとのTD-SCDMA SFN相対差を記録する。
【００３６】
時間514において、UE502は、RRC接続解放(RRC connection release)を受け取り、TD-SCDMAネットワークにリダイレクトされる。第2の構成では、RRC解放メッセージは、SFN相対差を含む。
【００３７】
時間516において、UE502は、その後TD-SCDMAセル504に戻り、送信時間間隔(TTI)を決定する。第1の構成では、決定は、記録された差に基づく。第2の構成では、決定は、RRC接続解放メッセージにおいて信号で伝えられる相対差に基づく。
【００３８】
図6は、本開示の一態様によるワイヤレス通信方法600を示す。UEが、ブロック602において、ターゲット無線アクセス技術(RAT)の絶対システムフレーム番号(SFN)を記録する、および/またはサービングRATとターゲットRATとの相対SFN差を記録する。UEはその後、ブロック604において、リダイレクションの後、記録された絶対SFNおよび/または記録された相対差に基づいて送信時間間隔(TTI)境界を決定する。
【００３９】
図7は、処理システム714を用いる装置700のハードウェア実装形態の一例を示す図である。処理システム714は、バス724によって全般に表されるバスアーキテクチャで実装され得る。バス724は、処理システム714の具体的な用途および全体的な設計制約に応じて、任意の数の相互接続するバスおよびブリッジを含み得る。バス724は、プロセッサ722、モジュール702、704、および非一時的コンピュータ可読媒体726によって表される、1つまたは複数のプロセッサおよび/またはハードウェアモジュールを含む様々な回路を一緒にリンクする。バス724は、タイミングソース、周辺機器、電圧調整器、および電力管理回路などの様々な他の回路をリンクさせることもでき、これらの回路は当技術分野でよく知られており、したがってこれ以上は説明しない。
【００４０】
装置は、トランシーバ730に結合された処理システム714を含む。トランシーバ730は、1つまたは複数のアンテナ720に結合される。トランシーバ730は、送信媒体を介した様々な他の装置との通信を可能にする。処理システム714は、非一時的コンピュータ可読媒体726に結合されたプロセッサ722を含む。プロセッサ722は、コンピュータ可読媒体726上に記憶されたソフトウェアの実行を含む全般的な処理を担う。ソフトウェアは、プロセッサ722によって実行されると、いずれか特定の装置について述べる様々な機能を処理システム714に実行させる。コンピュータ可読媒体726は、ソフトウェアを実行するときにプロセッサ722によって操作されるデータを記憶するためにも使用され得る。
【００４１】
処理システム714は、絶対システムフレーム番号を記録するおよび/または相対システムフレーム番号差を記録するための記録モジュール702を含む。処理システム714は、記録に基づいて送信時間間隔境界を決定するための決定モジュール704を含む。モジュールは、コンピュータ可読媒体726に常駐する/記憶される、プロセッサ722で動作しているソフトウェアモジュール、プロセッサ722に結合された1つもしくは複数のハードウェアモジュール、またはそれらの何らかの組合せとすることができる。処理システム714は、UE350の構成要素であってよく、メモリ392、および/またはコントローラ/プロセッサ390を含むことが可能である。
【００４２】
一構成では、UEなどの装置は、プリコードするための手段を含むワイヤレス通信のために構成される。一態様では、記録手段は、記録手段を行うように構成されたコントローラ/プロセッサ390、メモリ392、SFN管理モジュール391、記録モジュール702、および/または処理システム714であり得る。UEはまた、決定のための手段を含むように構成される。一態様では、決定手段は、決定手段を行うように構成されたコントローラ/プロセッサ390、メモリ392、SFN管理モジュール391、決定モジュール704、および/または処理システム714であり得る。一態様では、前述の手段によって具陳されるミーンズ機能。別の態様では、上記の手段は、上記の手段によって具陳される機能を実行するように構成されたモジュールまたは任意の装置であり得る。
【００４３】
TD-SCDMAおよびLTEを参照して、電気通信システムのいくつかの態様を示してきた。当業者が容易に諒解するように、本開示全体にわたって説明する様々な態様は、他の電気通信システム、ネットワークアーキテクチャおよび通信規格に拡張され得る。例として、様々な態様は、他のUMTSシステム、たとえばW-CDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.16(WiMAX)、IEEE 802.20、Ultra-Wideband(UWB)、Bluetooth(登録商標)、および/または他の適切なシステムを利用するシステムに拡張され得る。実際の利用される電気通信規格、ネットワークアーキテクチャ、および/または通信規格は、具体的な用途およびシステムに課される全体的な設計制約に依存する。
【００４４】
様々な装置および方法に関連して、いくつかのプロセッサが説明されてきた。これらのプロセッサは、電子ハードウェア、コンピュータソフトウェア、またはそれらの任意の組合せを使用して実装され得る。そのようなプロセッサがハードウェアとして実装されるか、ソフトウェアとして実装されるかは、具体的な用途およびシステムに課される全体的な設計制約に依存する。例として、プロセッサ、プロセッサの任意の部分、または、本開示で提示されるプロセッサの任意の組合せは、マイクロプロセッサ、マイクロコントローラ、デジタル信号プロセッサ(DSP)、フィールドプログラマブルゲートアレイ(FPGA)、プログラマブル論理デバイス(PLD)、ステートマシン、ゲート論理、個別ハードウェア回路、および、本開示全体にわたって説明された様々な機能を実行するように構成された他の適切な処理構成要素で実装され得る。プロセッサ、プロセッサの任意の部分、または本開示で提示されるプロセッサの任意の組合せの機能は、マイクロプロセッサ、マイクロコントローラ、DSP、または他の適切なプラットフォームによって実行されているソフトウェアで実装され得る。
【００４５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアは非一時的コンピュータ可読媒体上に存在し得る。コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、またはリムーバブルディスクなどのメモリを含み得る。メモリは、本開示全体で提示される様々な態様ではプロセッサとは別々に示されているが、メモリはプロセッサの内部にあってよい(たとえば、キャッシュまたはレジスタ)。
【００４６】
コンピュータ可読媒体は、コンピュータプログラム製品で具現化され得る。例として、コンピュータプログラム製品は、パッケージング材料内のコンピュータ可読媒体を含み得る。当業者は、具体的な用途およびシステム全体に課される全体的な設計制約に応じて、本開示全体にわたって示される説明する機能を最善の形で実装する方法を認識するだろう。
【００４７】
開示した方法におけるステップの特定の順序または階層は例示的なプロセスを示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【００４８】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。項目の列挙「のうちの少なくとも1つ」という語句は、単一の要素を含め、それらの項目の任意の組合せを指す。一例として、「a、bまたはcのうちの少なくとも1つ」は、「a」、「b」、「c」、「aおよびb」、「aおよびc」、「bおよびc」、「a、bおよびc」を含むことが意図されている。当業者が知っているか、後に知ることになる、本開示全体にわたって説明された様々な態様の要素と構造的かつ機能的に同等のものはすべて、参照により本明細書に明確に組み込まれ、特許請求の範囲によって包含されることが意図される。その上、本明細書で開示する内容は、そのような開示が特許請求の範囲で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００４９】
100  装置
102、300  無線アクセスネットワーク(RAN)
104  コアネットワーク(CN)
106  無線ネットワークコントローラ(RNC)
108  ノードB
110、350  ユーザ機器(UE)
112  モバイル交換センター(MSC)
114  ゲートウェイMSC(GMSC)
116  回線交換ネットワーク
118  サービングGPRSサポートノード(SGSN)
120  ゲートウェイGPRSサポートノード(GGSN)
122  パケットベースネットワーク
200  フレーム構造
202  フレーム
204  サブフレーム
206  ダウンリンクパイロットタイムスロット(DwPTS)
208、216  ガード期間(GP)
210  アップリンクパイロットタイムスロット(UpPTS)
212  データ部分
214  ミッドアンブル
218  同期シフト(SS)
310  ノードB、ノード
312、378  データソース
320、380  送信プロセッサ
330、382  送信フレームプロセッサ
332、356  送信機
334、352  アンテナ、スマートアンテナ
335、354  受信機
336、360  受信フレームプロセッサ
338、370  受信プロセッサ
339、372  データシンク
340、390  コントローラ/プロセッサ
342、392  メモリ
344、394  チャネルプロセッサ
346  スケジューラ/プロセッサ
390  コントローラ/プロセッサ
391  SFN管理モジュール
392  メモリ
400  地理的領域
402  LTEセル
404  TD-SCDMAセル
406  ユーザ機器
500  呼フロー図
502  UE
504  TD-SCDMAセル
506  LTEセル
600  ワイヤレス通信方法
700  装置
702  記録モジュール
704  決定モジュール
714  処理システム
720  アンテナ
722  プロセッサ
724  バス
726  非一時的コンピュータ可読媒体、コンピュータ可読媒体
730  トランシーバ
【図１】
2017500784.tif 000003
【図２】
2017500784.tif 000004
【図３】
2017500784.tif 000005
【図４】
2017500784.tif 000006
【図５】
2017500784.tif 000007
【図６】
2017500784.tif 000008
【図７】
2017500784.tif 000009
【国際調査報告】
2017500784.tif 000010
2017500784.tif 000011
2017500784.tif 000012